(57)【要約】      （修正有）【課題】開口部が気密に、特に遮音して密閉可能である引き戸のための案内装置、走行装置及び走行レールを提供する。【解決手段】案内装置１は、スライド要素、特に戸板を備えた引き戸の案内のために用いられ、それを使って開口部を少なくともほぼ気密に密閉可能であり、縦軸ｘを備えた走行レール４と、及び少なくとも１つの走行装置３とを含み、この走行装置３は結合装置２と結合された走行装置体３３を備え、走行レール４は第一及び第二の滑走面４１、４２を備え、この滑走面は互いに平行に傾斜して伸びている。走行装置体３３は、互いに傾斜して配列された第一及び第二の走行要素３１、３２を保持し、一致する第一又は第二の滑走面４１、４２に支えられ、第一の滑走面セクション４２１及び縦軸ｘに対して傾斜して伸びる第二の滑走面セクション４２２を備えており、これに沿って走行装置３が終端位置に移動可能である。【選択図】図５ｂ
2014020198.tif 000002
【特許請求の範囲】
【請求項１】
スライド要素（１０）のための、特に戸板（１１）を備えた引き戸のための案内装置（１）であって、該案内装置を使用して建物部分（９０）の部屋開口部（９）が少なくともほぼ気密に密閉可能であり、縦軸（ｘ）を備えた走行レール（４）を備え、及び少なくとも１つの、走行レール（４）に沿って案内される走行装置体（３３）を備えた走行装置（３）を備え、該走行装置体が結合装置（２）と接続されており、結合装置がスライド要素（１０）と連結可能であるか又は連結されている案内装置において、前記走行レール（４）が第一及び第二の滑走面（４１、４２）を備え、該滑走面が平行に及び互いに傾斜して伸びており、及び前記走行装置体（３３）が傾斜して互いに配列された第一及び第二の走行要素（３１；３２）を支え、該走行要素はそれぞれ一致する第一又は第二の滑走面（４１；４２）上で支えられ、該滑走面から少なくとも１つの、縦軸（ｘ）に対して平行に伸びる第一の滑走面セクション（４１１；４２１）及び縦軸（ｘ）に対して傾斜して伸びる第二の滑走面セクション（４１２；４２２）を備え、該滑走面セクションに沿って前記走行装置（３）が終端位置に移動可能出あることを特徴とする、案内装置（１）。
【請求項２】
前記走行レール（４）が前記スライド要素（１０）の上方又は下方で
ａ）直接前記建物部分（９０）と接続している、
ｂ）取付異形材（７）内に保持されている、又は
ｃ）建物チャンネル（９１０）内に配置されていることを特徴とする、請求項１に記載の案内装置（１）。
【請求項３】
前記走行装置体（３３）が、第一のローラーチャンネル（３１０）を備え、該第一のローラーチャンネル内で１つ又は２つの第一の走行要素（３１）が保持され、及び第二のローラーチャンネル（３２０）を備え、該第二のローラーチャンネル内で１つ又は２つの第二の走行要素（３２）が保持されていることを特徴とする、請求項２に記載の案内装置（１）。
【請求項４】
前記第一及び第二の走行要素（３１、３２）が走行ローラーであり、前記第一の走行ローラー（３１）が第一の滑走面（４１）に平行に配向され及び該第一の滑走面に当接し、第一のシャフト（３３１）によって保持されており、該第一のシャフトが前記走行装置体（３３）又は前記第一のローラーチャンネル（３１０）に保持されており、及び第二の走行ローラー（３２）が第二の滑走面（４２）に平行に配向され、第二のシャフト（３３２）によって保持されており、該走行装置体（３３）又は前記第二のローラーチャンネル（３２０）内に保持されていることを特徴とする、請求項１、２又は３に記載の案内装置（１）。
【請求項５】
前記走行装置体（３３）及び前記結合装置（２）が回転可能に互いに接続されており、前記結合装置（２）が前記走行装置体（３３）の上側又は下側に不動に又は回転可能に取付金具（６）と接続され、該取付金具が前記スライド要素（１０）を支えていることを特徴とする、請求項１〜４のうちのいずれか一項に記載の案内装置（１）。
【請求項６】
前記走行レール（４）が、少なくとも２つの、一体的に、又は前記取付異形材（７）によって互いに接続されたレールセグメント（４Ａ、４Ｂ）を備え、該レールセグメントがそれぞれ前記第一の滑走面（４１）及び前記第二の滑走面（４２）を備えており、及び前記第一及び第二のレールセグメント（４Ａ、４Ｂ）がそれぞれ前記走行装置（３Ａ、３Ｂ）に配置されていることを特徴とする、請求項２〜５のうちのいずれか一項に記載の案内装置（１）。
【請求項７】
前記第一及び第二の滑走面（４１、４２）が、建物天井に配向され、及び第一の滑走面（４１）が垂直線（ｓ）に対して角度をもって配向され、該角度が２２．５°〜９０°の範囲にあるか、又は前記第一及び第二の滑走面（４１、４２）が少なくともほぼ９０°の角度をなすことを特徴とする、請求項６に記載の案内装置（１）。
【請求項８】
前記走行レール（４）又は前記レールセグメント（４Ａ、４Ｂ）が、前記走行装置（３Ａ、３Ｂ）のそれぞれに１つの共通第一の滑走面（４１Ａ、４１Ｂ）と、それぞれ１つの別々の第二の滑走面（４２Ａ、４２Ｂ）とを備え、該第二の滑走面が相前後して又は相並んで配置されていることを特徴とする、請求項６又は７に記載の案内装置（１）。
【請求項９】
前記第一の滑走面（４１）の前記第一の滑走面セクション（４１１）に対して前記第二の滑走面セクション（４１２）の傾斜が、及び／又は前記第二の滑走面（４２）の前記第一の滑走面セクション（４２１）に対して前記第二の滑走面セクション（４２２）の傾斜が、前記スライド要素（１０）が第二の滑走面セクション（４２２）の長さに一致する閉じ区間（Ｓｘｃ）内で、一方で前記スライド要素（１０）の前面と前記部屋開口部（９）の前記フレーム（９１１）との距離（Ｓｙ）を、及び他方で前記スライド要素（１０）の下側と前記部屋開口部（９）に隣接するフロア（９２）との間の距離（Ｓｚ）を通り抜けるように選択されることを特徴とする、請求項１〜８のうちのいずれか一項に記載の案内装置（１）。
【請求項１０】
前記走行レール（４）の向かい側にある方の前記スライド要素（１０）側に案内レール（６）が備えられており、該スライド要素が少なくとも１つの前記スライド要素（１０）と接続している案内走行装置（５、５Ａ、５Ｂ）をスライド可能に保持しており、前記走行レール（４）の第一の滑走面セクション（４１１；４２１）に対して平行に伸びる第一の案内セグメント（６１）と、前記走行レール（４）の第二の滑走面セクション（４１２；４２２）に対して少なくともほぼ平行に伸びる第二の案内セグメント（６２）とを備えていることを特徴とする、請求項１〜９のうちのいずれか一項に記載の案内装置（１）。
【請求項１１】
前記スライド要素（１０）の前記部屋開口部（９）の方を向いた前面（１１１）又は前記部屋開口部（９）の前記縁（９１、９３）が、少なくとも部分的にシール（１２）を備えており、該シールが前記スライド要素（１０）の閉鎖位置において、前記スライド要素（１０）と前記部屋開口部（９）の前記縁（９１）又は止めバー（９３）との間に保持されることを特徴とする、請求項１〜１０のうちのいずれか一項に記載の案内装置（１）。
【請求項１２】
前記シール（１２）が１つ又は複数のセグメントから成るか又は１つの自己完結したループを形成することを特徴とする、請求項１１に記載の案内装置（１）。
【請求項１３】
互いに平行に及び傾斜して伸びる第一及び第二の滑走面（４１、４２）を具備した走行レール（４）を備えた、案内装置（１）のための走行装置（３）において、前記走行装置（３）が走行ローラーのような少なくとも１つの第一の走行要素（３１）を備え、該第一の走行要素が第一の滑走面（４１）と一致し、及び前記走行装置（３）は走行ローラーのような少なくとも１つの第二の走行要素（３２）を備え、該第二の走行要素が第二の滑走面（４２）と一致している、請求項１〜１２のうちのいずれか一項に記載の案内装置（１）のための走行装置（３）。
【請求項１４】
案内装置（１）のための走行レール（４）であって、２つの互いに平行に及び傾斜して伸びている第一及び第二の滑走面（４１、４２）を備え、該第一及び第二の滑走面から少なくとも１つの縦軸（ｘ）に対して平行に伸びる第一の滑走面セクション（４１１；４２１）及び少なくとも１つの、前記走行レール（４）の末端に縦軸（ｘ）に対して傾斜して伸びる第二の滑走面セクション（４１２；４２２）を備えていることを特徴とする、請求項１〜１２のうちのいずれか一項に記載の案内装置（１）のための走行レール（４）。
【請求項１５】
少なくとも２つの相前後して又は相並んで配置されているレールセグメント（４Ａ、４Ｂ）が備えられており、該レールセグメントがそれぞれ１つの又は共通の第一の滑走面（４１）及びそれぞれ１つの第二の滑走面（４２Ａ、４２Ｂ）を備えていることを特徴とする、請求項１４に記載の走行レール（４）。
【発明の詳細な説明】
【技術分野】
【０００１】
本発明は、走行レールに沿ってスライド可能なスライド要素のための、特に引き戸のための案内装置に関し、この引き戸を使用して部屋開口部を密閉することができる。さらに、本発明は走行装置、及びその案内装置のための走行レールに関する。
【０００２】
部屋を隔てる又は形成するために、又は部屋開口部又は窓開口部を密閉するために、ガラス製又は木製の引き戸のようなスライド要素がしばしば使用され、この引き戸は通常２つの走行装置を使用して走行レールに沿って案内される。特許文献１では、例えば走行レールに沿って案内可能な走行装置を備えた装置が公知であり、この装置はガラス板もしくはガラス引き戸を保持するために用いられる。走行装置は、固定手段を使用してガラス板と接続可能であり、その結果ガラス板の上端が走行レールの横断面に収容され得る。それによってガラス板と走行レールとの間の空間を部分的に密閉することができ、その結果閉じられた引き戸において、引き戸で密閉された開口部を通って密閉された部屋に入ってくることが可能な音の部分的な低減が得られる。
【０００３】
それとは逆に、この引き戸によって達成し得る減音及びその他の媒体隔離も、それに比べて他の欠点を備えている回転ドアが達成し得る隔離とは比較にならない。
【先行技術文献】
【特許文献】
【０００４】
【特許文献１】米国特許第７８９１０５２（Ｂ２）号明細書
【特許文献２】米国特許第ＵＳ６０５２８６７（Ａ１）号明細書
【発明の概要】
【発明が解決しようとする課題】
【０００５】
したがって本発明の課題は、スライド要素のための、特に引き戸のための改良された案内装置を提示することである。特にスライド要素のための案内装置が作られなければならず、これを使って開口部が気密に、特に遮音して密閉可能である。さらに、そのような案内装置のために走行装置及び走行レールが提示される。
【課題を解決するための手段】
【０００６】
案内装置は、スライド要素、特に戸板を備えた引き戸の案内のために用いられ、それを使って建物部分の部屋開口部を使用して少なくともほぼ気密に密閉可能であり、縦軸を備えた走行レールと、及び少なくとも１つの、走行レールに沿って案内される走行装置とを含み、この走行装置は結合装置と結合された走行装置体を備え、この結合装置はスライド要素と結合可能か又は結合されている。
【０００７】
好ましくは、木製、ガラス製、プラスチック製又はメタル製の戸板を備えたスライド要素が２つの走行装置に保持されている。走行装置をスライド要素に結合するために、戸板に適合された取付金具が使用される。
【０００８】
本発明により、走行レールは第一及び第二の滑走面を備え、この滑走面は互いに平行に傾斜して伸びている。走行装置体は、互いに傾斜して配列された第一及び第二の走行要素を支持し、この走行要素はそれぞれ対応する第一又は第二の滑走面上で支えられており、滑走面から少なくとも１つの、縦軸に対して平行に伸びる第一の滑走面セクション及び縦軸に対して傾斜して伸びる第二の滑走面セクションを備え、これに沿って走行装置が終端位置まで移動可能である。
【０００９】
このようにして、走行装置の構造が簡単であることにより、これがこの走行レールの縦軸に沿って、及び端領域の少なくとも１つがこれに対して傾斜して、つまり特に部屋開口部に向かって走行し得ることが保証される。ここで走行要素は各位置で走行レールに沿って常に最適に滑走面に当接する。走行レールの対応する傾きによって、第一の走行要素が分離要素の荷重の相当な部分を支え、その一方で第二の走行要素がスライド要素の側方案内を担い、荷重のわずかな部分のみを支持することが企図し得る。走行レールの傾きは、基本的に自由に選択可能である。好ましくはそれぞれ上方を向いた第一及び第二の滑走面は、約＋４５°もしくは−４５°垂直線もしくは引き戸の平面に対して傾斜し、その際、水平方向又は垂直方向の引き戸の動揺をそれに応じて高める又は低めるために、−２５°〜＋４５°の範囲の修正角度を加算することができる。
【００１０】
好ましくは対になって備えられている第一及び第二の走行要素は、好ましくはローラー、車輪、滑走要素又は磁石要素である。有利には異なった走行技術の組み合わせも使用されうる。例えば第一の走行要素のために、特に低騒音の磁石走行技術又は滑走技術が使用され、他方で第二の走行要素のためにローラー又は車輪が使用される。走行レールの滑走面に当接している、互いに向き合った走行要素の滑走面は、その際同じく走行レールの滑走面と同じ傾斜角度を備え、好ましくは０．５ｃｍ〜３ｃｍの間隔を空けて隣り合い、それによって走行装置のコンパクトな構造が可能になる。
【００１１】
第一の好ましい実施形態では、走行装置はしたがって線には沿っておらず、走行レールの第一の滑走面によって定義された平面に案内される。走行装置がこの平面で進む経路は、第二の滑走面によって定義され、第二の滑走面はゲートパスの一種であり、２つの相対して傾斜した滑走面セクションを備えている。走行装置がその上を走行する平面は、したがって走行レールの傾きによって、もしくは滑走面セクションを１つだけ備えた第一の滑走面によって定義される。走行装置がこの平面内で進む経路からの動揺は、第二の滑走面のコース又は滑走面セクションのコースによって決められる。
【００１２】
発明による案内装置を使用し、引き戸を線状だけでなく選択的に側方及び垂直にスライドすることが可能となる。引き戸がスライド中に第二の滑走面セクションに沿って側方にスライドされる量、及び引き戸がスライド中に第二の滑走面セクションに沿って又は第二の滑走面セクションに垂直にスライドされる量は、したがって走行レール及び滑走面セクションの傾きを選ぶことで調整し得る。この設定は工場側で定義されても設置側で実施されてもよい。走行装置が備えられている経路を妨げられずに進むことができるよう、走行装置の本体と引き戸との間の接続部は少なくとも１つの連結部を備えている。したがって走行装置は傾斜又は回転することができるが、引き戸の方向は変わらずそのままである。
【００１３】
２つの走行装置が同じ運動を好ましくは共同の平面内の共同の第一滑走面で、実行可能であるよう、２つの走行装置は同じ第二の滑走面、場合によって同じレールセグメントを備え、これらのレールセグメントは同時に通過される。そのため、両方の走行装置に吊された引き戸は、走行装置の動揺の際に部屋開口部に平行にスライドされる。好ましくは対応する案内要素が引き戸の下側に備えられており、これら案内要素は記述された閉プロセスを支援する。
【００１４】
したがって引き戸は選択的に線に沿って及び次に側方に、部屋開口部に向かってスライドされ、部屋開口部を気密に密閉するために下へおろされる。第二の滑走面は、水平の第一の滑走面セクションと、斜めに下へ向かって伸びる第二の滑走面セクションを備えたゲートパスを形成し、この滑走面セクションは属している走行装置によってスライド要素が閉じる際に通過される。
【００１５】
別の一実施形態では、２つの滑走面は第二の滑走面セクションを備え、この第二の滑走面セクションは走行レールの縦軸に対して傾斜して伸びている。その場合は、走行装置はもはや平面内ではなく、２つの第二の滑走面セクションに沿って終端位置に走行する。このようにしてスライド要素が終端位置に送られる進路の選択に追加の自由度がもたらされる。例えば走行装置は垂直の移動が行なわれなくとも側方へ走行可能である。しかしこの場合も、スライド要素が終端位置への走行時に持上げられるか又は下へおろされることは可能である。
【００１６】
その際引き戸が壁との距離だけ、又はフロアとの距離だけ完全に隙間を埋められ、そのため終端位置では壁に又はフロアに当接することが企図され得る。したがって案内装置は、設置側で又は工場側で、引き戸が終端位置で、壁のところで又は部屋開口部を区切っているフレームのところで、所望の位置に及び／又はフロアに当接するように調整されうる。
【００１７】
別の好ましい実施形態では、走行レール又はレールセグメントの一方の又は他方の端部が追加の第二の滑走面セクションを備え得る。第二の滑走面セクションは、カーブ形状を備え得る。
【００１８】
各レールセグメントの第一及び第二の滑走面の傾斜、及び第二の滑走面セクションの第一の滑走面セクションに対する傾斜は、スライド要素が、第二の滑走面セクションの長さに一致する閉じ区間の中で、引き戸の前面と部屋開口部のフレームとの間の距離、及び引き戸の下側とフロアとの間の距離を通過するように選択される。
【００１９】
こうして、発明による案内装置を使用して、部屋開口部をすべての側で気密に密閉することができる。シーリングが別の媒体に関して最適に行なわれ、及び引き戸のぶつかりが防止されるよう、引き戸は、部屋開口部の方を向いた前面又はそれに一致する部屋開口部のフレームのところに好ましくはシールを備えている。このシールは引き戸もしくは戸板の縁に沿って伸び、フロアに対してシーリングが所望される場合は好ましくは戸板の下側に突出している。シールは好ましくは一体的に伸び、戸板の周辺に沿って閉じている。別法として、いくつかのシール要素から構成することも可能である。シールは好ましくは弾性のある要素から構成され、これら要素は圧縮可能な中空体、好ましくはベローズの形状である。弾性のあるシールスリップを備えたシールのような、任意の別のシールも使用され得る。
【００２０】
さらに、シールが戸板の少なくとも１つの側だけに、例えば下側及び／又は上側だけに取り付けられることが可能である。別法としてシール又はシール要素を戸板ではなく、建物側に取り付けることも可能である。
【００２１】
走行装置はさらに電動化が可能であり、その結果引き戸が自動的に移動可能であり、シールへの接触圧力を高めるためにより大きな力でエンドストッパーまで走行可能である。
【００２２】
走行レールは一体的に製造しても、又はレールセグメントに分割されてもよく、これらは互いに接合して前後するか又は隣り合って取り付けられる。レールセグメントの長さは、走行装置がレールセグメントに沿って移動する時に、部屋開口部が保持された引き戸によって完全に開かれるか、又は完全に閉じられるように寸法決めされる。走行レールは例えば２つのレールセグメントに分割されてよく、現場で好ましくは複数の同じ部品から構成される取付異形材を使用して設置され得る。したがって案内装置は工場側でわずかな必要スペースで個々の部品を包装し、設置側で組立、構成することができる。第二の滑走面が走行レール内で相前後して配置されている場合は、走行装置は属している第二の滑走面の中でだけ動き、隣接する第二の滑走面の範囲には到達しない。しかし走行レールはそれぞれ設置された走行装置のために第二の滑走面を備え得、この第二の滑走面は互いに重なっている。複数の第二の滑走面は好ましくは相並んで配置されている。同様にレールセグメントも相並んで配置され得る。第二のローラーを備えた各走行装置が重なり合う第二の滑走面を走行可能になるよう、第二のローラーは対応する間隔を置いて取り付けられる。好ましくは第二のシャフトは対応する長さを備え、この長さによって、第二のローラーが少なくとも第一の又は第二の位置で割り当てられた第二の滑走面の上に保持され得る。
【００２３】
場合によってレールセグメントから構成される走行レールはスライド要素の上方又はスライド要素の下方に配置されてよく、その際滑走面はいずれにしても上を向いている。走行レールがスライド要素の上方に配置される場合、スライド要素は１つ又は好ましくは２つの走行装置に吊されている。走行レールがスライド要素の下方に配置される場合、スライド要素は走行レールによって支えられる。
【００２４】
２つの滑走面を備えた走行レールを使用するにもかかわらず、本発明では走行装置はコンパクトに構成され、少なくとも１つの第一のシャフトが少なくとも１つの第一の走行要素の支承のために、及び少なくとも１つの第二のシャフトが少なくとも１つの第二の走行要素の支承のために、備えられている。
【００２５】
走行装置は好ましくは２つの互いに傾斜した走行装置チャンネルもしくはローラーチャンネルを備え、その中で走行要素又は走行ローラーは走行レールの滑走面の方を向き、面又は線でそれに当接するように保持される。
【００２６】
走行装置チャンネルは、好ましくは２つの互いに接続されたＵプロフィールを形成し、それらのそれぞれ向かい合った側は互いに接続され、及び好ましくは走行装置ブロックの一部である。しかしまた走行要素はそれに対応して形成された走行装置ブロックのみに保持され得る。
【００２７】
走行装置をスライド要素と接続するために結合装置が備えられ、この結合装置は走行装置体、例えばチャンネル壁又は走行装置ブロックと結合されている。スライド要素が走行レールに吊されている場合には、結合装置は走行装置に下側の範囲に伸びる。スライド要素が走行レールによって支えられる場合には、結合装置は走行装置の上方に保持される。
【００２８】
走行装置体が走行装置ブロックを組む場合には、これは有利には本体ボアが備えられ、これら本体ボアは第一及び第二のシャフトの保持部として機能する。シャフトは好ましくはそれぞれ１つのフランジヘッド及びステムを備え、フランジヘッドが属している本体ボアに接続しているカラーに当接するまで本体ボア内に差し込まれ得る。シャフトのステムは、したがって走行装置ブロックから突き出て、走行要素又はローラーを備え得る。
【００２９】
走行装置が妨げられることなく走行レールに沿って走行し得るよう、走行装置体及びスライド要素、好ましくは走行装置体及び結合装置は、少なくとも１つの連結部によって互いに接続している。したがって走行装置は、第一の滑走面によって定義された平面を通って又は２つの滑走面セクションに沿って、妨げられることなく回転し得る。
【００３０】
さらに結合装置は好ましくは結合要素を備え、この結合要素はスライド要素を垂直にローラー対の上方又は下方、又は好ましくはローラー対の間で保持される。このようにして、スライド要素の荷重が均一に２つのローラー対に分配され、障害となるトルクを回避して走行レールに移転される。
【００３１】
連結部は、走行装置ブロック内で好ましくは第二のシャフトに平行に配列されたブッシュボアを備えることで、特に有利に実現される。このブッシュボア内にジョイントブッシュが差し込まれ、このジョイントブッシュはフランジリングを含み、このフランジリングはブッシュボアに接続しているカラーにより保持される。好ましい一実施形態では、ブッシュパイプがさらに第二のローラーチャンネルを通り抜け、第二の本体ウィングのウィングボアの終端で保持される。フランジヘッドを備えた、及び結合要素と接続されたジョイントピンはしたがってジョイントブッシュ内で回転可能に設置され得る。走行装置体はしたがって妨げられることなく結合要素に相対して回転可能である。この連結部の実施形態が必要とするスペースはわずかであり、特に簡単に実現可能である。しかし、結合装置及び連結部の他の実施形態は同様に可能である。
【００３２】
スライド要素は、走行レールと向かい合っている側に、下側もしくは上側に、好ましくは同様に案内要素を備え、これを使って引き戸を閉プロセスでも常に部屋開口部に平行に保持し、その結果引き戸は各縁セクションに同じ押圧力で部屋開口部に対して挿入され、その結果引き戸及び壁に備えられたシールが均等に圧縮され得る。そのために、引き戸の該当する側に、又はフロア内に通された案内レールが備えられ、この案内レールは傾斜したセクションを備え、このセクションは走行レールの滑走面セクションに一致する。案内レール内には案内要素がかみ合い、好ましくは調節可能な案内走行装置の案内ローラーが、引き戸が案内レールのコースに沿ってスライドされることを保証する。必要な場合、例えば案内要素の垂直移動を備えたさらなる調整手段が備えられ得る。
【００３３】
別の好ましい一実施形態では、第一の走行装置又はエンドストッパーに減衰装置が備えられ、この減衰装置は、引き戸が好ましくは重力の助けを受けて自動的に終端位置に走行することを保証する。第二の滑走面セクションの傾斜により、高価な送り装置を使用することなく自動閉プロセスが行なわれる。減衰装置は好ましくは油圧ダンパーを備えている。さらに有利にはバネ要素を備え得、このバネ要素は動作機構的な及び潜在的なエネルギーを継承し、このエネルギーが引き戸を走行時に終端位置へ送る。減衰装置はまた走行レール内に取付けられ得る。本発明による解決法は、減衰装置内に蓄積されたエネルギーの支援が存在する場合、最小量の力の使用で引き戸が手動で又はモーター駆動で操作可能である。
【００３４】
以下では、本発明を図を使用して詳しく説明する。
【図面の簡単な説明】
【００３５】
【図１】シール要素１２を備えた引き戸１０を使用して、部屋開口部９が開き、気密に密閉することが可能であるようにスライド可能である、本発明による案内装置１の図である。
【図２】終端位置にある引き戸１０を備え、この終端位置では部屋開口部９が気密に密閉される、図１の案内装置１の図である。
【図３】図１の、部屋開口部９の方を向いた引き戸１０の前面３の図である。
【図４】引き戸が結合装置２を介して回転可能に発明による走行装置３の本体３３に結合され、この走行装置が２つの垂直に互いに配列されたローラー対３１又は３２を含んでいる、図３の引き戸１０の図である。
【図５ａ】第一のローラー対３１のための第一の滑走面４１を備えた、走行レール４又は走行レール４のセグメント、及びそれに対して垂直配列された第二のローラー対３２のための、２つの互いに傾斜した滑走面セクション４２１、４２２を備えた、第二の滑走面４２の図４の走行装置３の図である。
【図５ｂ】第一のローラー対３１のための第一の滑走面４１を備えた、走行レール４又は走行レール４のセグメント、及びそれに対して垂直配列された第二のローラー対３２のための、２つの互いに傾斜した滑走面セクション４２１、４２２を備えた、第二の滑走面４２の図４の走行装置３の図である。
【図５ｃ】第一のローラー対３１のための第一の滑走面４１を備えた、走行レール４又は走行レール４のセグメント、及びそれに対して垂直配列された第二のローラー対３２のための、２つの互いに傾斜した滑走面セクション４２１、４２２を備えた、第二の滑走面４２の図４の走行装置３の図である。
【図６】図５ａに従った２つの走行装置３Ａ、３Ｂが、それぞれ前後して配置された走行レール４のレールセグメント４Ａ；４Ｂが図５ａに従って案内されている、本発明による案内装置１の図である。
【図７】相並んで及び互いにずらして配置された第二の滑走面４２Ａ、４２Ｂ又はレールセグメント４Ａ；４Ｂを備えた走行レール４の図５ａに従った図である。
【図８】取付異形材７によって保持され、その上に本発明による走行装置３が案内されている、走行レール４を備えた、本発明による案内装置１の図である。
【図９】互いに分離されている、図４の走行装置３及び結合装置２の図である。
【図９ａ】図９の結合装置２の図である。
【図１０ａ】さまざまな表示方法による図４の走行装置３の本体３３と、その中に挿入された、結合装置２及びローラー対３１、３２のシャフト３１１、３２１の要素２５１、２５２の図である。
【図１０ｂ】さまざまな表示方法による図４の走行装置３の本体３３と、その中に挿入された、結合装置２及びローラー対３１、３２のシャフト３１１、３２１の要素２５１、２５２の図である。
【図１０ｃ】さまざまな表示方法による図４の走行装置３の本体３３と、その中に挿入された、結合装置２及びローラー対３１、３２のシャフト３１１、３２１の要素２５１、２５２の図である。
【図１１】案内レール６を備え、この案内レール内に第一の固定した案内走行装置５Ａが恒久的にはまり込み、案内フォーク６５を備え、この案内フォークに引き戸１０が終端位置に達するとすぐに第二の固定した案内走行装置５Ｂがはまり込み得る、図１の引き戸１０の下側の図である。
【図１１ａ】その中にはまり込んだ固定した第一の案内走行装置５Ａを備えた、図１１の案内レール６の図である。
【図１１ｂ】第二の案内走行装置５Ｂが到達する前の、図１１の案内フォーク６５の図である。
【図１１ｃ】案内走行装置５の断面図である。
【図１１ｄ】図１の引き戸１０のシール要素１２のセグメント１２０の図である。
【図１２】発明による走行装置３と接続された減衰装置８の図である。
【図１２ａ】図１２の減衰装置８の組立分解図である。
【図１３ａ】さまざまな角度位置にある本発明による走行レール４と、さまざまに形成された走行装置体３３、３３０を備えた、走行レールに取り付けられた走行装置３の図である。
【図１３ｂ】さまざまな角度位置にある本発明による走行レール４と、さまざまに形成された走行装置体３３、３３０を備えた、走行レールに取り付けられた走行装置３の図である。
【図１３ｃ】さまざまな角度位置にある本発明による走行レール４と、さまざまに形成された走行装置体３３、３３０を備えた、走行レールに取り付けられた走行装置３の図である。
【図１４ａ】別の好ましい一実施形態において、走行レール４の上方に案内されたスライド要素１０の役割を果たす、本発明による走行レール４及び本発明による走行装置３の図である。
【図１４ｂ】別の好ましい一実施形態において、走行レール４の上方に案内されたスライド要素１０の役割を果たす、本発明による走行レール４及び本発明による走行装置３の図である。
【図１５】結合装置２を備え、これを使用して走行装置３が取付金具２１と接続され、この取付金具が戸板１１を保持する、図１４ａの走行装置３の図である。
【図１６】下方をフロアチャンネル９２０内に配置された走行レール４で支持されるか又は上方を天井チャンネル９１０内に配置された走行レール４に吊された、壁開口部９の閉鎖のために機能し、及び案内装置１によって保持される引き戸１０の図である。
【図１７】図１６のフロアチャンネル９２０内で取付異形材７内に保持されている走行レール４を備えた、図１６の案内装置１の図である。
【図１８ａ】図１７のフロアチャンネル９２０の前面及び背面の図である。
【図１８ｂ】図１７のフロアチャンネル９２０の前面及び背面の図である。
【図１９ａ】２つのレールセグメント４Ａ、４Ｂを備え、その上に走行装置３Ａ、３Ｂが案内され、この走行装置が結合装置２を介して取付金具枠縁２１と接続され、この取付  金具枠縁内に戸板１１が保持される、図１７の走行レール４の図である。
【図１９ｂ】２つのレールセグメント４Ａ、４Ｂを備え、その上に走行装置３Ａ、３Ｂが案内され、この走行装置が結合装置２を介して取付金具枠縁２１と接続され、この取付金具枠縁内に戸板１１が保持される、図１７の走行レール４の図である。
【図２０】２つの滑走面４１、４２を備え、それぞれ１つの、縦軸ｘに対して平行に伸びる第一の滑走面セクション４１１、４２１とそれぞれ１つの縦軸ｘに対して傾斜して伸びる第二の滑走面セクション４１２、４２２を備えた、図１７の走行レール４の図である。
【図２１】２つのレールセグメント４Ａ、４Ｂを備え、その上に走行装置３Ａ、３Ｂが案内され、及び図１７の取付異形材７に案内され、フロアチャンネル９２０の閉鎖のために機能する閉鎖カート９００を備えた図１７の走行レール４の図である。
【図２２ａ】案内走行装置５Ａ、５Ｂ内に案内され、この案内走行装置が戸板１１と接続されている取付金具枠縁５１に取り付けられている、図１６の天井チャンネル９１０内で取付異形材６０内に保持される図１１の案内レール６の図である。
【図２２ｂ】案内走行装置５Ａ、５Ｂ内に案内され、この案内走行装置が戸板１１と接続されている取付金具枠縁５１に取り付けられている、図１６の天井チャンネル９１０内で取付異形材６０内に保持される図１１の案内レール６の図である。
【発明を実施するための形態】
【００３６】
図１は、本発明による案内装置１の第一の一実施形態の図であり、部分的に開いた引き戸１０が、走行装置３を使って走行レール４に沿って案内され、この走行レールが取付異形材７を使用して建物壁９１に取り付けられている。引き戸１０を使用して、部屋開口部９を開くか気密に密閉することができる。そのために、部屋開口部９が図２に示されたように完全にカバーされるまで、引き戸１０が前方へスライドされ得る。閉プロセスでは、終端セクションで区間Ｓｘｃに沿って、引き戸１０が部屋開口部９の前で平行に（矢印Ａ参照）、１つの区間Ｓｙにわたって部屋開口部９（矢印Ｂ）に向かって、及び区間Ｓｚにわたってフロア９２に向かって案内される。したがってこの引き戸１０により、部屋開口部９の縁１１１が最小距離で覆われ、そのためにすでにこの引き戸１０の位置決めで部屋開口部９の良好なシーリングがもたらされる。
【００３７】
シーリングをさらに良好にするため、部屋開口部９の方を向いた前面１１１のところで引き戸１０は周囲に、好ましくは戸板１１の縁に接続されたシール１２を備え、このシールは好ましくは自己完結した長方形を形成している。したがって閉位置では、シール１２の第一の上部分１２１は部屋開口部９のフレーム９１１に向かって案内される。引き戸１０の下側ではシール１２の第二の下部分１２２が戸板１１と重なり、引き戸１０を閉じた後にフロア９２に当接する。別法としてシールの要素は、部屋開口部９のフレーム９１１に、及びフロア９２に取付けられ得る。
【００３８】
図３は、引き戸１０の前面１１１を示しており、取付要素１２３を使用して固定されたシール１２が前面に備えられている（図１１も参照）。シール１２は引き戸内の保持溝又は建物壁９１内の保持溝に、又は部屋開口部９に隣接するフレーム９３に埋め込み可能である。
【００３９】
シール１２は、好ましくは押し出し成形プラスチック異形材であり、例えば自己完結したホースであり、少なくとも１つのシール室を備えている。好ましい一実施形態におけるシール１２のセクション１２０は、図１１ｄに示されている。この実施形態では、シール１２は建物壁９１のうちの１つの方を向いた第一のシール室１２１０及びフロア９２の方を向いた第二のシール室１２２０を備えている。シール室は容易に圧縮可能であり、その結果シール１２は引き戸１０を閉じた後で平らに部屋開口部９のフレーム９１１に、又はフロア９２に当接する。
【００４０】
図１８ａの実施形態では、シール又はシールループが完全に引き戸１０の前面に配置され、部屋開口部９の縁と反対に配向されている。フロアとシール１２の接触が回避される。したがってこの実施形態では、引き戸はさらに小さい力の使用で操作可能である。
【００４１】
したがって引き戸１０の閉状態では、部屋開口部９は気密に密閉され、そのために最適な隔離が結果として生じる。閉じられた部屋は音、臭気、気流などの外乱から最適に保護される。
【００４２】
図１の実施形態では、引き戸１０は走行レール４に吊されている。図１７は引き戸１０が有利には走行レール４上でも支えられ得ることを示している。走行要素と案内要素は、引き戸１０の下側及び上側に備えられており、そのために動作機構的逆戻りの原理に従って、互いに機能的に交換可能である。
【００４３】
図４は、図３の引き戸１０を示しており、この引き戸は結合装置２を介して回転可能に、発明による走行装置３の本体３３と接続され、この走行装置は２つの互いに垂直に配列されるか、又は下側に互いに傾斜したローラー対３１又は３２を含む。結合装置２は、場合によってねじ山を備えた結合部品もしくは連結シャフト２３を含み、この結合部品は取付ブロック２２内に保持される。取付ブロック２２は、Ｕプロフィール形状であり、固定リブを備えた取付金具２１に固定され、この取付金具はくぼみ１３内で木製の戸板１１の上端にネジ留めされている。この取付金具技術は、単に例として示されている。ガラス板用には、有利には特許文献２で公知の解決法を使用し得る。本実施形態では、結合部品２３は結合要素２４によって保持され、この結合要素はそれ自身で連結部２５によって走行装置３の本体３３と接続されている。
【００４４】
図５ａ、図５ｂ及び５ｃは、本発明による、図４の、走行レール４又は走行レールの４セグメントを備えた走行装置３を示しており、この走行レールは引き戸１０の上側に取り付けられている。走行レール４は、斜め上に向いており、第一のローラー対３１のための第一の滑走面４１と、第二のローラー対３２のための、これに対して垂直に配列された第二の滑走面４２とを備えている。第二の滑走面４２は、２つの互いに傾斜した滑走面セクション４２１、４２２を含み、これらは互いに接続されている。図２０には、好ましい実施形態において、２つの滑走面４１及び４２もそれぞれ２つの互いに傾斜した滑走面セクション４１１、４１２及び４２１、４２２を備え、それによって走行レール４の縦軸ｘに対して傾斜した走行装置３のスライドを、これを垂直にスライドすることなく実行可能であることが示されている。
【００４５】
示された実施形態では、２つの、上方に配列された第一及び第二の滑走面４１及び４２は角度９０°をなし、垂直線に対して約＋４５°もしくは−４５°傾斜している。図５ａに示されたようにローラー対３１、３２はそれに一致する傾斜を備えている。さらに走行装置３がさらに修正角度ｋｗ分傾斜され得、好ましくは＋２５°〜−２２．５°の範囲にあることが示される。加えて、修正角度ｋｗを４５°に高めることが可能であり、その結果第一の案内要素が荷重を支え、第二の案内要素が側方案内の役割を果たす。走行装置３及び走行レール４の対応する傾斜により、引き戸４の側方及び垂直方向の動揺量が定められ得、さらに第二の滑走面４２のコースに、特に第二の滑走面セクション４２２の傾斜に依存している（図１３ａ、１３ｂ及び１３ｃの実施形態も参照）。
【００４６】
図５ｂは、斜線で示されている第一の滑走面４１を備えた走行レール４を示しており、その上で第一のローラー対３１が転がる。第一の滑走面４１は平面にあり、そのために走行装置３は常にこの平面に従う。図５ｂはさらに２つの滑走面セクション４２１、４２２を備えた第二の滑走面４２を示している。第二の滑走面セクション４２２は、走行レール４の一部を第一の滑走面４１に対して垂直に削り取るという簡単な方法で備え得る。
【００４７】
走行レール４を設置するために、これは取付ねじを取り付けるための取付ボア４３１を具備した取付プレート４３を備えている。図８に示されたように、取付ねじを使用して、取付プレート４３を取付異形材７の異形材要素７１と接続される。取付異形材７は、好ましくは複数の同一仕様の異形材セグメント７Ａ、７Ｂ、…から構成されており、それゆえに設置場所でも組立てることができる。取付異形材７を建物壁９１に取り付けるために、取付開口部７２が備えられ、これを通ってネジが挿入される。走行レール４は、例えば接着又は鋳込みなど、他の接続技術を使用して取り付け可能である。
【００４８】
走行レール４の設置後、第一の滑走面４１及び第二の滑走面４２の第一の滑走面セクション４２１は、少なくともほぼ水平に伸びているため、走行装置３は、第一の滑走面セクション４２１に沿ってスライドする際に水平に配向された線で行なわれる。第一の滑走面セクション４２１から第二の滑走面セクション４２２への移行時、走行装置３はダンパー要素８０を備えた前面と共に下へ傾いて回る。この回転は、妨げられることなく実行され得る。なぜなら走行装置体３３は連結部２５を介して結合装置２と、又は角度のある形状の結合要素２４と接続しているからである。走行装置３は、これによって妨げられることなく回転し、及び第一の滑走面４１によって定義された平面内で新しい線に従う。第二の滑走面セクション４２２が、上方へ傾斜して設置された走行レール４のくさび形に下へ向かって細くなっている部分に一致しているため、走行装置３は側方下側に、それゆえに部屋開口部９及びフロア９２に向かって走る。
【００４９】
図５ｃは、図５ｂの走行装置３及び走行レール４を第二の滑走面４２の視点から示しており、第二の滑走面の上には滑走面セクション４２１、４２２が異なった斜線部で示されている。
【００５０】
図６は、図５ｂに従った、２つの走行装置３Ａ、３Ｂと、走行レール４の２つの相前後して近接して接続したレールセグメント４Ａ、４Ｂを示している。前側の走行装置３Ａでは、結合要素２４を備えた結合装置２が示されている。第二の走行装置３Ｂでは、結合要素２４が取り外されている。走行装置３Ａ、３Ｂ及びレールセグメント４Ａ、４Ｂは、同一仕様に形成され、別々に納入し設置することができる。走行装置３Ａ、３Ｂの間の距離は、好ましくは互いに近接して接続しているレールセグメント４Ａ、４Ｂの長さに相当し、走行装置３Ａ、３Ｂが常に同じ位置で属しているレールセグメント４Ａ、４Ｂ内にあり、それゆえに同期して動くように選択される。引き戸１０のエンドストッパーは、走行装置３Ａ、３Ｂがそれらに割り当てられているレールセグメント４Ａ、４Ｂ上のみ行き来できるように配置されている。
【００５１】
引き戸１０の走行経路を任意に延長できるよう、図７に示された走行レール４は各走行装置３Ａ、３Ｂに１つの第二の滑走面４２Ａ、４２Ｂが相並んで備えられている。走行装置３Ａ、３Ｂの第二の走行要素３２Ａ、３２Ｂは、それゆえに互いにずらして配置されており、属している滑走面４２Ａ又は４２Ｂ上で支持されている。図１３Ｂに示された、相応に形成された走行装置３は、その第二のローラー対３２が延長されたシャフト３２１‘に沿って選択的に外側又は内側の滑走面４２Ａ、４２Ｂにスライドされ得る。相応に形成された走行レール４は、一体的に製造可能であり、又は複数の要素から構成され得る。特に走行レール４のこの実施形態では、第二の滑走面４２Ａ、４２Ｂが傾斜した複数の第二の滑走面セクション４２２Ａ、４２２Ｂを備えている。特に２つのレール終端に、傾斜した第二の滑走面セクション４２２Ａ、４２２Ｂが備えられ得る。これによって、引き戸１０を使用して、それぞれ２つの部屋開口部９のうちの１つを密閉することが可能である。
【００５２】
図８には、特に好ましい実施形態における、取付異形材７と接続された走行レール４が示されている。示された実施形態では、２つの異形材要素４又は７は比較的単純になる。取付異形材７及び走行レール４はしかし、相互に入り込んで一体化され、その結果取付異形材７が走行レール４を一体的に含んでいる。そのために、例えば示された取付フランジ７１は、すでに２つの上方に配向され及び傾斜した面を備えており、必要な場合は、例えば２つの示された走行レール４の２つの滑走面４１、４２の断面線まで伸ばされる。
【００５３】
図９は、走行装置３とそこから外された結合装置２が示されている。走行装置３の本体３３からジョイントブッシュ２５１内に回転可能に支承されている、場合によって中空シャフトであるジョイントピン２５２が、突き出ており（図１０ｃ参照）、ジョイントピンが結合要素２４内の取付ボア２４１に一致していることが示されている。したがってジョイントピン２５２と不動に接続された結合要素２４は、走行装置３に対して回転可能に保持される。
【００５４】
図９及び図９ａには、結合要素２４内にスライドヘッド２６がスライド可能に支承されていることが示されている。スライドヘッド２６のねじ付きロッド２６１と接続しているスクリューナット２７を回転させることで、スライドヘッド２６を前後にスライドすることができる。ねじ付きロッド２６１は結合要素２４の開口部を通って案内される。スライドヘッド２６内にはさらにねじ山ボア２６２が備えられ、その中に取付ブロック２２に固定された接続要素２３が回転可能に保持されている（図４も参照）。スライドヘッド２６のスライドにより、及び接続要素２３の回転により、スライド要素１０は前後及び上下にスライドされ得る。
【００５５】
図１０ａ、図１０ｂ及び図１０ｃは、図４の走行装置３の好ましく形成された本体３３を異なった表示で示しており（背面から）、その中に結合装置２の要素２５１、２５２及びローラー対３１、３２を支えるために備えられているシャフト３１１、３２１が挿入されている。このシャフトは、それぞれ１つのフランジヘッド３１１１；３２１１及びステム３１１２；３２１２を備えている。左右対称の走行装置体３３は、走行装置ブロック３３３を含み、第一及び第二のシャフト３１１、３２１を保持するための本体ボア３３３１、３３３２を備えており、このシャフトは本体ボア３３３１、３３３２内に差し込まれる。そのフランジヘッド３１１１；３２１１が、属している本体ボア３３３１；３３３２へ接続しているカラー３３３１０；３３３２０によって保持される（図１０ｃ参照）。
【００５６】
同様にして、第二のシャフト３２１に平行に伸びているブッシュボア３３３３が備えられ、このブッシュボアは下側がカラー３３３３０によって区切られている。したがってフランジリング２５１１を備えたジョイントブッシュ２５１は、ブッシュボア３３３３を通って、フランジリング２５１１がブッシュボア３３３３のカラー３３３３０に当接するまで案内される。これは図１０ａに断面図として示されている。
【００５７】
これが図１０ｂに示されているように、ローラー対３１、３２のシャフト３１１、３２１及びジョイントブッシュ２５１はしたがって走行装置ブロック３３３を通って取付け位置にスライドされ、それによって簡単な方法で取り付けられる。これにより、走行装置３の製造が格段に単純化され、走行装置３がコンパクトに構成されると同時に、ボアが備えられることによる走行装置ブロック３３３の脆弱化の影響はなくなる。図１０ｂには、追加的に、しかも軸方向に伸びている、ダンパー要素８、８０の保持部の役割を果たすボア３３３４を備え得ることが示されている。
【００５８】
図１３ｂに示されているように、走行装置体３３は走行装置ブロック３３３のみから構成され得る。反対に、図１０ａ、図１０ｂ及び図１０ｃの好ましい実施形態では、走行装置ブロック３３３の両側に第一及び第二の本体ウィング３３１；３３２が成形されている。第一の本体ウィング３３１はまず第一の本体ボア３３３１に、もしくは第一のシャフト３１１に平行に伸び、次にそれに垂直に伸び、その結果第一のローラーチャンネル３１０が形成される。第一のシャフト３１１は、第一のローラーチャンネル３１０を垂直に貫通し、終端で第一の本体ウィング３３１内にあるウィングボア３３１１で支承されている。第二の本体ウィング３３２は、まず第二の本体ボア３３３２又は第二のシャフト３２１に平行に伸び、次にそれに垂直に伸び、その結果第二のローラーチャンネル３２０が形成される。第二のシャフト３２１は、第二のローラーチャンネル３２０を垂直に貫通し、終端で第二の本体ウィング３３２内にあるウィングボア３３２２で支承されている。第二の本体ウィング３３２はさらに別のウィングボア３３２３を備えており、ジョイントブッシュ２５１の追加保持部として機能する。したがって２つのウィング要素３３１及び３３２は、直角のアングルピースを形成し、シャフト及び連結部要素がより確実に支承されるよう機能する。同時にローラー対３１、３２は属しているローラーチャンネル３１０；３２０に支持される。
【００５９】
図１０ｃには、さらにフランジヘッド２５２１を備えたジョイントピン２５２が示され、これはジョイントブッシュ２５１内に回転可能に支承されている。
【００６０】
走行レール４及びそれによって案内される走行装置３を使用して、引き戸１０は前述の実施形態では上側が案内される。しかし、これによって戸板１１の前面１１１に備えられたシール１２は、引き戸１０を閉じた後で上側だけでなく、範囲全体にわたって均一に、部屋開口部９の縁に押し付けられ、好ましくは下側にも案内要素、つまり案内レール６及び好ましくは案内フォーク６５が備えられており、フロア９２側の案内ローラー５５内に固定的に取り付けられている案内走行装置５Ａ、５Ｂにはまり込む。案内レール６は、保持溝１６内で引き戸１０の下側を通っている。案内フォーク６５は、同様に保持溝１６内、すなわち閉じ方向終端に配置されている。
【００６１】
図１１ａに背面から示された案内レール６は、戸板１１に平行に伸びている第一の案内セグメント６１と、それに対して傾斜して伸びている第二の案内セグメント６２を備えており、その長さは、第二の滑走面４２の第二の滑走面セクション４２２の長さ、ひいては閉じ区間Ｓｘｃの長さと一致している。これによって案内ローラー５５と共に案内レール６にはまり込んだ第一の案内走行装置５Ａは第二の案内セグメント６２に到達し、その間に、走行レール４によって案内される第二の走行装置３Ｂが第二の滑走面セクション４２２に到達する。続いて引き戸１０の上側及び下側は部屋開口部９と反対に均一に案内される。同時に第二の案内走行装置５Ｂは図１１ｂに示された案内フォーク６５にはまり込み、この案内フォークは案内チャンネル６５２とそれに接続する案内枠縁６５１、６５３を備えている。案内枠縁６５１、６５３は、異なった厚みを備えているため、第二の案内走行装置５Ｂは案内ローラー５５の進入後、より厚い案内枠縁６５１の傾斜部を走行レール４によって案内された第一の走行装置３Ａと共に、引き戸１０の前面を部屋開口部９に向かって、もしくは建物壁９１に向かって案内する。
【００６２】
上述の装置部分は、動作機構的に逆戻りによっても機能的に交換可能である。例えば案内レール６と案内フォーク６５はフロア９２でも固定的に取り付けられるか又はその中に通されることが可能であり、案内走行装置５Ａ、５Ｂのような案内要素は、引き戸１０の下側に取り付けられる。同様にシールは戸板にではなく壁に固定され得る。例えばシール１２の部分１２１がドア開口部９のフレーム９１１に、及びシール１２の残りの部分１２２が引き戸１０の下側に取り付けられる。
【００６３】
図１１ｃには、調整可能な案内走行装置５が断面図で示されている。案内走行装置５は工具チャンネル５１１を備えた筐体５１を含む。さらに筐体内にはねじ付インサート５２が差し込まれており、その中にはねじ山部分５３１が、偏心に保持されているベアリングシャフト５３と共にねじ込まれており、ベアリングシャフトのもう一方の側では案内ローラー５５を支える。ねじ山部分５３１を回すことで、ベアリングシャフト５３が円に沿ってスライドされる。ベアリングシャフト５３は工具チャンネル５１１内に案内された工具によって回すことが可能になるよう、ねじ山部分５３１はリングギヤ５３２を備え、その歯切り部は工具チャンネル５１１の方を向いており、工具によって捕捉され回され得る。
【００６４】
図１１ｄは、冒頭で言及された２つのシール室１２１０、１２２０を備えたシール要素を示している。
【００６５】
図１２は、発明による走行装置３と接続された減衰装置８を示し、これを使って引き戸１０の走行が閉じ範囲で減衰され、その潜在的エネルギー及び／又は運動エネルギーがバネ要素に保存され得る。減衰装置８は、走行装置体３３内のくぼみに保持され、エンドストッパーに対して配向されている。
【００６６】
図１２ａには、減衰装置８の個別部品、つまりダンパーシリンダー８１２内に保持されたロッドプランジャー８１１を備えた油圧ダンパー８１、バネ要素８２、中空円筒プランジャー８５、及びロッドプランジャー８１１と中空円筒プランジャー８５に取り付け可能な、プラスチック又はゴム製のダンパー要素８０が示されている。ダンパー要素８０がエンドストッパーに突き当たるとすぐに、ロッドプランジャー８１１と中空円筒プランジャー８５が操作され、それによってダンパーシリンダー８１２がその効果を発揮してバネ要素８２がピンと張られる。バネ要素８２内に蓄積されたエネルギーは、引き戸１０が開く時に放出され、その結果閉じ区間Ｓｘｃの乗り越えには引き戸１０を開く際に実際上力が使われる必要がない。
【００６７】
図１３ａ、１３ｂ及び１３ｃでは、本発明による走行レール４が異なった傾斜位置で示されており、その上に載せられた走行装置３は異なって形成された走行装置体３３、３３０を備えている。図１３ｂの走行装置３の走行装置体３３０は、本体ウィングを備えておらず、実際上走行装置ブロック３３３からのみ形成されている。さらにこの走行装置３は、延長された第二のシャフト３２１‘を備え、これに沿ってその第二のローラー対３２が内側へ又は外側へ１つの位置にスライドされることができ、この位置では走行装置３に割り当てられた第二の滑走面４２に触れることができる。
【００６８】
冒頭に記述されたように、横方向及び垂直方向の走行装置３の動揺の量は、走行レールの傾き４によって調節され得る。図１３ａに示された傾斜では、走行装置３の垂直方向の動揺はより強く、横方向の動揺はより低減される。図１３ｃに示された傾斜では、走行装置３の横方向の動揺はより強く、垂直方向の動揺はより低減される。図１３ｂに示された走行装置３の傾斜では、横方向と垂直方向の動揺はほぼ同じである。
【００６９】
図１４ａ及び図１４ｂでは、２つの上方を向いた、９０°互いに傾斜した滑走面４１、４２を備えた、フロアに取り付けられた好ましく形成された走行レール４が示され、この滑走面はそれぞれ２つの互いに傾斜した滑走面セクション４１１、４１２；４２１、４２２を備えている。走行装置３は第一の滑走面セクション４１１、４１２に沿って、走行レール４の縦軸ｘ対して平行に、前方へ、第二の滑走面セクション４１２、４２２まで、及び次に第二の滑走面セクション４１２、４２２に沿って縦軸ｘに対して傾斜して、部屋開口部と反対にずらされ得る。この実施形態では、走行装置３が第二の滑走面セクション４１２、４２２に沿って任意の正又は負の勾配で部屋開口部に向かって走行することが可能である。
【００７０】
図１４ａでは、走行装置３は、第一の滑走面セクション４１１、４２１の初端にある。図１４ｂでは、走行装置３は部屋開口部と逆に置かれ、第二の滑走面セクション４１２、４２２の末端にある。
【００７１】
図１５は、図１４ａの走行装置３を示しており、これは結合装置２によって枠縁形状の取付金具２１と接続可能である。この好ましい実施形態では、走行装置３は２つの互いに接続されたＵプロフィールを備え、これらはそれぞれ１つのローラーチャンネル３１０、３２０を囲んでいる。第一のローラーチャンネル３１０には、２つの第一の走行ローラーが、第二のローラーチャンネル３２０内には２つの第二の走行ローラーが保持されている。走行装置体３３はジョイントピン２４２を備え、このジョイントピンは結合要素２４内の取付開口部２４１に保持される。結合要素２４と走行装置３は、やはり回転可能に互いに接続されている。結合要素２４の他の側面にはスリーブ形状の接続要素２３を保持するためのボアが備えられている。接続要素２３は、一方で結合要素２４内に、及び他方で枠縁形状の取付金具２１のボア２１０内に、固定されるか又は回転可能に保持され、この取付金具は戸板１１を保持するよう機能している。したがって走行装置３はやはり回転可能に、引き戸１０に対して支承され、必要な運動を走行レール４に沿って実行可能である。
【００７２】
図１６は、壁開口部９の閉鎖を行ない、及び発明による案内装置１によって保持される引き戸１０が示され、この引き戸は下側をフロアチャンネル９２０に配置されている走行レール４によって支えられているか、又は上側を天井チャンネル９１０に配置されている走行レール４によって吊されている。図１６には、案内装置１の要素、走行レール４及び案内レール６が交換可能であり、及び有利にはフロアチャンネル９２０内及び天井チャンネル９１０内に取り付け可能であることが描かれている。同じくフロアチャンネル９２０内及び天井チャンネル９１０内には別の分離要素９０Ａ、９０Ｂ、好ましくはガラス板が、はめ込まれ、これが部屋開口部９の側方を区切っている。引き戸１０を備えた閉鎖システム全体が特に上品に仕上げられ得ることが明かである。発明による走行レール４を用いて、引き戸１０が正確に分離要素９０Ａ、９０Ｂの間に進入することができ、その結果引き戸１０が分離要素９０Ａ、９０Ｂと共に１つの平らな隔壁を形成する。案内装置１のこの実施形態では、フロアチャンネル９２０内及び天井チャンネル９１０内に保持された装置部分により、及びフロアチャンネル９２０内及び天井チャンネル９１０内に突き出た戸板１１により、さらなる利点がもたらされる。部屋開口部９は最適に閉じされ密閉される。フロアに対するシーリング及び上に向かって天井に対するシーリングはもはや不要である。なぜならシーリングが引き戸１０の前面で部屋開口部９の縁９１、９３に対して十分役割を果たしているからである。これにより、１つだけシール平面がもたらされ、その利点は、引き戸１０の操作のために最小の操作力だけしか必要のないことである。
【００７３】
図１７は、図１６の案内装置１を示しており、これには図１６のフロアチャンネル９２０内で、取付異形材７によって保持された走行レール４が備えられている。さらに、同様に取付異形材７内にシール要素９４を使用して保持された分離要素９０Ａが見て取れる。フロアチャンネル９２０は、カバー要素９２１、９２２によって覆われ、ただ引き戸１０の走行路だけが覆われていない。図２１では、引き戸１０が側方に走行した場合に、この走行路が閉鎖カート９００によって密閉され得ることが示されている。図１７にはさらに止めバー９３が示され、これは分離要素９０Ａ、９０Ｂの間に保持されている。
【００７４】
図１８ａ及び図１８ｂは、図１７のフロアチャンネル９２０を前面及び背面から示している。図１８ａは、走行レール４の第一のレールセグメント４Ａを示しており、これは取付異形材７内に保持され、及び第一の走行装置３Ｂを支えている。さらに、取付異形材７がレール要素７５、７６を備え、その上に閉鎖カート９００が載っていることが示されている。図１８ｂは、走行レール４第二のレールセグメント４Ｂを示しており、これは取付異形材７内に保持され、及び第二の走行装置３Ｂを支えている。さらに閉鎖カート９００が示されており、これは車輪９０１、９０２と共にレール要素７５、７６上を転がる。閉鎖カート９００は、カバープレート９０５を備え、引き戸１０が側方へスライドされた後で、これを使用してフロア内の開口部が密閉される。
【００７５】
図１９ａ及び図１９ｂは、図１７の走行レール４を示しており、２つのレールセグメント４Ａ、４Ｂを備え、その上に走行装置３Ａ、３Ｂが案内されている。走行装置３Ａ、３Ｂは、結合装置２を介して取付金具枠縁２１と接続され、その中で戸板１１が保持されている。戸板１１の下側は、細長い形状のシール要素１２は、シールスリップを備え、このシールスリップは閉プロセスの際に図１７に示された止めバー９３に向かって案内される。
【００７６】
図２０は、図１７の走行レール４又はレールセグメント４を示しており、これは２つの滑走面４１、４２を備えており、これら滑走面はそれぞれ１つの、縦軸ｘに平行に伸びる第一の滑走面セクション４１１、４２１及びそれぞれ１つの、縦軸ｘに対して傾斜して伸びる第二の滑走面セクション４１２、４２２を含む。
【００７７】
図２０は、さらに走行装置３を示しており、これはただ１つの第一の走行要素又は第一の走行ローラー３１及びただ１つの第二の走行要素又は１つの第二の走行ローラー３２を備えている。したがって本発明による走行装置３、３Ａ、３Ｂは、本発明による案内装置１のすべての記述された実施形態において、ただ１つの第一の及びただ１つの第二の走行要素３１又は３２を備えていてもよい。
【００７８】
図２１は、図１７の走行レール４を示しており、２つのレールセグメント４Ａ、４Ｂを備え、その上に走行装置３Ａ、３Ｂが案内されている。さらに図１８ａ及び図１８ｂの閉鎖カート９００が示されており、この閉鎖カートは取付異形材７の上で案内されている。この閉鎖カート９００は、カバープレート９０５を備えており、引き戸１０が側方にスライドされると、部屋開口部９の前にスライドされる。引き戸１０がスライドされた後に生じるフロア内の開口部は、したがって閉鎖カート９００のカバープレート９０５によって閉じられる。
【００７９】
走行レール４がフロアに取り付けられている場合、案内レール６は天井に、好ましくは天井チャンネル９１０内に配置されている。図２２ａ及び図２２ｂに示された実施形態では、フレーム異形材６０が備えられ、これは案内レール６を保持するために用いられ、この案内レールは２つの互いに傾斜した案内セグメント６１、６２を備えている。案内レール６は、案内走行装置５Ａ、５Ｂのローラーを案内し、この案内走行装置は戸板１１の上端に取り付けられた取付金具枠縁５１０と接続されている。引き戸１０の閉鎖位置では、第一の案内走行装置５Ａが第二の案内セグメント６２を通って、及び第二の案内走行装置５Ｂが止めバー９３に取り付けられた案内フォーク６５を通って部屋開口部９に向かって案内される。その際取付金具枠縁５１０と接続され及び部屋開口部９の方を向いたシール１２がシールスリップを備え、止めバー９３に向かって案内される。シール１２は、止めバー９３にも固定されてよく、それは天井チャンネル９１０内に配置されている場合に隠されたままとなる。
【符号の説明】
【００８０】
１  案内装置
１０  スライド要素、引き戸
１１  戸板、例えばガラス製又は木製
１１１  戸板１１の前面
１２  シール
１２０  シール要素
１３  戸板１１内のくぼみ
１２１  上部シール部分
１２１０  第一のシール室
１２２  下部のシール部分
１２２０  第二のシール室
１２２３０  取付リップ
１２３  シール１２用の取付材料
１６  戸板１１下側の保持溝
２  結合装置
２１  取付金具
２１０  接続スリーブを保持するためのボア
２２  取付ブロック
２３  結合部品；連結シャフト又は接続スリーブ
２４  結合要素
２４０  接続スリーブを保持するためのボア
２４１  ジョイントピン２５２を保持するためのボア
２５  連結部
２５１  ジョイントブッシュ
２５１１  フランジリング
２５２  ジョイントピン
２５２１  フランジヘッド
２６  スライドヘッド
２６１  ねじ付きロッド
２６２  ねじ山ボア
２７  スクリューナット
３；３Ａ、３Ｂ  走行装置
３１  第一のローラー
３１０  第一の走行装置チャンネル又はローラーチャンネル
３１１  第一のローラー３１用の第一のシャフト
３１１１  第一のシャフト３１１のフランジヘッド
３１１２  第一のシャフト３１１のステム
３２  第二のローラー
３２０  第二の走行装置チャンネル又はローラーチャンネル
３２１  第二のローラー３２用シャフト
３２１‘  第二のローラー３２用の延長されたシャフト
３２１１  第二のシャフト３２１のフランジヘッド
３２１２  第二のシャフト３２１のステム
３３  走行装置体
３３０  本体ウィングなしの走行装置体
３３１  第一の本体ウィング
３３１１  第一のシャフト３１１用の第一のウィングボア
３３２  第二の本体ウィング
３３２２  第二のシャフト３２１用の第二のウィングボア
３３２３  第二の本体ウィング３３２の第三のウィングボア
３３３  走行装置ブロック
３３３１  ｄｉｅ第一のシャフト３１１用の第一の本体ボア
３３３１０  第一のシャフト３１１用のカラー
３３３２  第二のシャフト３２１用の第二の本体ボア
３３３２０  第二のシャフト３２１用のカラー
３３３３  走行装置ブロック３３３内のブッシュボア
３３３３０  ジョイントブッシュ２５１用のカラー
３３３４  減衰装置を保持するためのアキシャルボア
４  走行レール（上又は下に取付け）
４Ａ、４Ｂ  走行レール４のレールセグメント
４１  第一の滑走面
４２  第二の滑走面
４２１  第一の滑走面セクション
４２２  第二の滑走面セクション
４３  取付プレート
４３１  取付プレートのボア
５、５Ａ、５Ｂ  案内走行装置
５１  筐体
５１０  取付金具；取付金具枠縁
５１１  工具チャンネル
５２  ねじ付インサート
５３  ベアリングシャフト
５３１  ベアリングシャフト５３のねじ山部分
５３２  ベアリングシャフト５３のリングギヤ
５５  案内ローラー
６  案内レール（上又は下に取付け）
６０  フレーム異形材
６１  第一の案内セグメント
６２  第二の案内セグメント
６５  案内フォーク
６５１  第一の案内枠縁
６５２  案内チャンネル
６５３  第二の案内枠縁
７  取付異形材
７Ａ、７Ｂ  異形材セグメント
７１  取付けフランジ
７２  取付ねじを保持するためのボア
７５、７６  レール要素
８  減衰装置
８０  ダンパー要素
８１  油圧ダンパー
８１１  ロッドプランジャー
８１２  ダンパーシリンダー
８２  バネ要素
８５  中空円筒プランジャー
９  部屋開口部、ドア開口部
９０  建物部分
９０Ａ、９０Ｂ  ガラス壁
９００  閉鎖カート
９０１、９０２  閉鎖カート９００の車輪
９０５  閉鎖カート９００のカバープレート
９１            部屋開口部９の縁
９１０、９２０  建物チャンネル；天井チャンネル又はフロアチャンネル
９１１  壁の縁、シール１２によって覆われている
９２  フロア
９２１、９２２  カバー要素
９３  止めバー
９４  シール要素
【図１】
2014020198.tif 000003
【図２】
2014020198.tif 000004
【図３】
2014020198.tif 000005
【図４】
2014020198.tif 000006
【図５ａ】
2014020198.tif 000007
【図５ｂ】
2014020198.tif 000008
【図５ｃ】
2014020198.tif 000009
【図６】
2014020198.tif 000010
【図７】
2014020198.tif 000011
【図８】
2014020198.tif 000012
【図９】
2014020198.tif 000013
【図９ａ】
2014020198.tif 000014
【図１０ａ】
2014020198.tif 000015
【図１０ｂ】
2014020198.tif 000016
【図１０ｃ】
2014020198.tif 000017
【図１１】
2014020198.tif 000018
【図１１ａ】
2014020198.tif 000019
【図１１ｂ】
2014020198.tif 000020
【図１１ｃ】
2014020198.tif 000021
【図１１ｄ】
2014020198.tif 000022
【図１２】
2014020198.tif 000023
【図１２ａ】
2014020198.tif 000024
【図１３ａ】
2014020198.tif 000025
【図１３ｂ】
2014020198.tif 000026
【図１３ｃ】
2014020198.tif 000027
【図１４ａ】
2014020198.tif 000028
【図１４ｂ】
2014020198.tif 000029
【図１５】
2014020198.tif 000030
【図１６】
2014020198.tif 000031
【図１７】
2014020198.tif 000032
【図１８ａ】
2014020198.tif 000033
【図１８ｂ】
2014020198.tif 000034
【図１９ａ】
2014020198.tif 000035
【図１９ｂ】
2014020198.tif 000036
【図２０】
2014020198.tif 000037
【図２１】
2014020198.tif 000038
【図２２ａ】
2014020198.tif 000039
【図２２ｂ】
2014020198.tif 000040